(57)【要約】【課題】たとえば、回路中の点や端子などの１対の電気的接点に結合された相対的低インピーダンス回路を完全に切断するように働く微小機械装置を用いることによって実現される高信頼性ヒューズを提供すること。【解決手段】微小機械装置が移動することによって、電気回路を除去する。より詳細には、微小機械装置が指定されたトリガ励起力に曝されたとき、回路の一部である少なくとも１つの低インピーダンス電気ブリッジを破壊することにより、電気的接続を除去する。１対の電気接点を結合する相対的低インピーダンス回路が２つ以上有るときには、たとえば各回路の一部を成す低インピーダンス電気ブリッジを少なくとも１つ破壊することによって、全ての相対的低インピーダンス回路を破壊しなければならない。【選択図】  図１
2006084470.tif 000002
【特許請求の範囲】
【請求項１】
２つの接点の間を接続する低インピーダンス接続部を有する電気回路と、
前記低インピーダンス接続部を遮断し、それによって前記２つの接点間に開回路状態を生じるように作動することができる微小機械装置と
を備えるヒューズ。
【請求項２】
前記遮断が、前記開回路状態を直接発生させる、請求項１に記載の発明。
【請求項３】
前記微小機械装置の少なくとも一部が移動することによって、前記低インピーダンス接続部を遮断する、請求項１に記載の発明。
【請求項４】
前記微小機械装置の少なくとも一部が移動することによって、前記低インピーダンス接続部を遮断し、前記微小機械装置は、指定された条件が整ったときにのみ前記移動を行うように構成されている、請求項１に記載の発明。
【請求項５】
前記微小機械装置が、電気的に前記電気回路の一部である少なくとも１つのばねを有する微小電子機械システム（ＭＥＭＳ）装置であり、前記ＭＥＭＳ装置が前記少なくとも１つのばねを破壊するように移動することによって前記低インピーダンス接続部を遮断する、請求項１に記載の発明。
【請求項６】
前記低インピーダンス接続部の遮断を前記電気回路が検出する、請求項１に記載の発明。
【請求項７】
前記低インピーダンス接続部が、前記微小機械装置が移動した結果の衝撃によって破壊されることによって遮断されるブリッジを通る、請求項１に記載の発明。
【請求項８】
前記微小機械装置の少なくとも一部が移動することによって前記低インピーダンス接続部を遮断し、移動後、前記微小機械装置が新しい位置にラッチ止めされる、請求項１に記載の発明。
【請求項９】
前記低インピーダンス接続部を遮断するために、前記微小機械装置が一連の少なくとも２つの移動をすることが必要である、請求項１に記載の発明。
【請求項１０】
前記電極と前記微小機械装置の間の電位差が前記微小機械装置を移動させるように配置された少なくとも１つの電極と、
前記少なくとも１つの電極と前記微小機械装置の間の静電容量を測定するための検査口と
をさらに備える、請求項１に記載の発明。
【請求項１１】
微小機械装置の少なくとも一部が移動した結果、前記２つの接点間の低インピーダンス接続部を遮断することによって、２つの接点間を接続状態から開回路状態へ切り替える工程を含む、ヒューズを使用する方法。
【請求項１２】
前記切り替え工程完了後、前記微小機械装置の前記部分をラッチ止めする工程をさらに含む、請求項１１に記載の発明。
【請求項１３】
前記切り替え工程が、前記２つの接点を接続する低インピーダンス回路中の少なくとも１つのブリッジを破壊する工程をさらに含む、請求項１１に記載の発明。
【発明の詳細な説明】
【技術分野】
【０００１】
本発明は、ヒューズの技術に関し、より詳細には、ワンタイム・ヒューズに関する。
【背景技術】
【０００２】
ある種の用途においては、指定されたある条件の下では、電気接続部の２つ以上の接点が遮断される、すなわち「開」になることが望まれる。この開ファンクションは一般にヒューズと呼ばれるものによって実行される。多くの人が良く知っているのは、回路が短絡した場合に生じることがあるような定格容量より大きい電流条件に曝されると焼き切れ、それによって、たとえば火災を発生するなどの実際の被害が生じる危険な状況を回避することを期待する、普通のヒューズである。
【０００３】
他の用途では、指定された条件が、対象物が衝撃を受けたときに生じるような大きな加速やショックであり得る。そのようなヒューズは、通常の操作状態と実際にきっかけとなるイベントを区別できるように設計することが好ましい。さらに、ヒューズはイベント後決してリセットすることができず、また、ヒューズの状態が容易に監視できることが望ましい。
【０００４】
そのようなヒューズの典型的な用途は、目標に達するなど特定の条件が適ったときにのみ爆発する必要があるミサイルや爆弾であろう。そうでないときは、そのようなミサイルや爆弾は安全に取り扱えることが望まれる。したがって、ミサイルや爆弾は、たとえ偶発的な厳しい落下であっても、通常の取り扱いで生じる動きと、たとえば発射や衝突などの爆発を起こす必要のあることを示す動きとを区別することができるヒューズを内蔵する必要がある。さらに、作動準備完了状態にあること、ならびにヒューズの状態について、その結果を人間が感知できるような検査ができることが望ましい。
【０００５】
既出の本発明者の米国特許出願第１０／８１７，９８６号では、同出願は本明細書に完全に記載されているものとして参照により組み込まれるものとするが、相対的に高インピーダンスのトリガ機構と並列に結合された低インピーダンスのバイパス回路を遮断するように作動する微小機械装置を採用することによって、爆発物および兵器用の信頼性の高いヒューズが実現できることが分かった。微小機械装置が移動した結果、電気的バイパス路の除去が行われることによって、指定された条件下での爆発が可能になる。電気的バイパス路の除去は、発射や衝突中に発生するような典型的な大きな力である指定されたトリガ励起力に微小機械装置が曝されたとき、バイパス回路の一部である低インピーダンスの電気的ブリッジが破壊されることによって行われる。ただし、たとえば爆発の一過程として高インピーダンスのトリガ部が破壊されるまでは、低インピーダンスのバイパス回路で接続されていた接点は高インピーダンスのトリガ部を介して接続されたままになる。
【０００６】
本発明により、相対的低インピーダンス回路に接続された、たとえば回路中の接点や端子のような一対の電気的接点を完全に開放するように作動する微小機械装置を採用することによって、高信頼性のヒューズが実現されることが分かった。この低インピーダンス回路の遮断を、少なくとも１つの接点に結合されている他の回路や装置が検出し、応答する。
【０００７】
電気回路の除去は、微小機械装置が移動した結果、電気回路をその一部とする対象物に掛かる力によって行われる。本発明の一態様によれば、電気接続部は、微小機械装置が指定のトリガ励起力を受けたとき、回路の一部である少なくとも１つの低インピーダンス電気ブリッジが破壊されることによって取り除かれる。１対の電気接点に結合された２つ以上の相対的低インピーダンス回路があるときは、たとえば回路毎にその一部を成す少なくとも１つの低インピーダンス電気ブリッジを破壊することによって、全ての相対的低インピーダンス回路を遮断しなければならない。
【０００８】
本発明の一実施形態では、微小機械装置は微小電子機械システム（ＭＥＭＳ）装置であり、ブリッジは、ＭＥＭＳ装置の一部であると共に電気回路の一部でもある、少なくとも１つのばねである。少なくとも１つのばねを破壊すると相対的低インピーダンス回路が遮断され、１対の電気端子間の電気接続が開になる。本発明の別の実施形態では、ブリッジはＭＥＭＳ装置とは別の要素であり、トリガ励起力によってＭＥＭＳ装置が動かされると、ＭＥＭＳ装置はブリッジを破壊するように移動し、相対的低インピーダンス回路を遮断し、両接点間の電気接続部を開にする。
【０００９】
ＭＥＭＳ装置は、相対的低インピーダンス回路を遮断するように移動した後、さらに動き回るのを防ぐために、新しい位置にラッチ止めすることができる。
【００１０】
多重並行接続として実装されていることがある相対的インピーダンス回路を完全に開くために、多重ＭＥＭＳ装置が運動することが必要とされることがある。有利には、多重ＭＥＭＳ装置および／または多重バイパス接続を用いることによって提供される冗長性によって、より高いシステム安全性、ならびに様々なタイプのトリガ条件を設計する余地が得られる。たとえば、２個のＭＥＭＳ装置が、それぞれ低インピーダンスばねを有する別々の接続部を介して両接点間に結合されて用いられる場合は、両方のばねが破壊されない限り開回路は生じない。冗長性の適用では、両方のばねが破壊されて開回路を生じるためには、両方が同じ方向に移動しなければならないように両ＭＥＭＳ装置を配置することができる。トリガ条件を特定化するには、それぞれのばねを破壊して開回路を生じるために、各ＭＥＭＳ装置が順次それぞれ特定の方向に移動しなければならないようなＭＥＭＳ装置の配置であり得る。たとえば、１つのばねは、第１のＭＥＭＳ装置を局所座標系に関して第１の方向に効果的に移動させるロケットの発射で破壊されるように構成され、第２のばねは、第２のＭＥＭＳ装置を同じ局所座標に関して第１の方向とは反対の方向に効果的に移動させるロケットの衝突で破壊されるように構成される。もちろん、実装者の裁量で様々な組合せを実装することができる。あるいは、単一のＭＥＭＳ装置が２回以上の運動によって電気回路を遮断するように、または少なくとも２回運動することを必要とするように、単一のＭＥＭＳ装置を構成することもできる。
【００１１】
本発明の別の態様によれば、ヒューズは、その様々な部品が検査できて、結果を人間が感知可能に表示するように構成することができる。さらに、ヒューズは、電気的にも機械的にも検査できるように構成することができる。たとえば、相対的低インピーダンス電気回路の健全性を検証するために、検査電圧を印加し、ヒューズ両端間の抵抗を測定することができる。電流が流れれば、電気回路が無傷であることを示し、電流が流れなければ、ヒューズが、たとえば事前に、開いてしまっていることを示す。ＭＥＭＳ装置に関して電極を配置し、ＭＥＭＳ装置を移動させるために様々な電圧を掛けることができる。そのような移動から生じる静電容量の変化があれば、測定することができ、その測定から、ＭＥＭＳ装置の機械的状態についての情報を決めることができる。
【特許文献１】米国特許出願第１０／８１７，９８６号
【発明を実施するための最良の形態】
【００１２】
以下は、単に本発明の原理を例示する。したがって、本明細書に明白には記載され、または示されてはいないが、本発明の原理を具体化する様々な構成を考案することが、当業者にとって可能であり、かつ、それらは本発明の精神および範囲内に包含されることが理解されよう。さらに、本明細書に使用されている例およびここでの術語は、主として、本発明者が技術を発展させるために寄与した本発明の原理およびその概念を読者が理解するのを援ける教示的目的のみを明白に意図しており、そのような特に取り上げられた例および状態に限定されるものではないと解釈されるべきである。さらに、本発明の原理、態様、および実施形態、ならびに、その特定の例を記載する本明細書の記述は、その構造的同等物および機能的同等物両者を包含するものである。さらに、そのような同等物は、現在公知の同等物ならびに将来開発される同等物の両方を、すなわち同じ機能を発揮するように開発されたいかなる要素も、構造に関係なく含むことを意図するものである。
【００１３】
したがって、たとえば、本明細書のブロック図は、本発明の原理を具体化する例示的な回路の概念的な図であることを当業者は理解するであろう。
【００１４】
添付の特許請求の範囲では、特定の機能を果たす手段として表現された要素は、その機能を果たす方法も包含するように意図されている。これは、たとえば、ａ）その機能を果たす電気および機械要素の組合せや、ｂ）全ての形式のソフトウェア（したがって、ファームウェア、マイクロコード等を含む）であって、そのソフトウェアを実行して機能を果たすための適切な回路、ならびに、もしあれば、ソフトウェアに制御される回路に結合された機械的要素と組み合わさったソフトウェアを含み得る。本発明がそのような特許請求の範囲によって定義されるのは、列挙された様々な手段によって提供される機能は特許請求の範囲が要求する方式によって組み合わされ統合されるということに根ざしている。したがって、出願者は、それら機能を提供することができるいかなる手段も本明細書に示されたものと同等と見なす。
【００１５】
本明細書で明白に断らない限り、図面は縮尺に依っていない。
【００１６】
本明細書では、術語、微小電子機械システム（ＭＥＭＳ）装置は、ＭＥＭＳ装置全体またはその一部を意味するものとする。したがって、ＭＥＭＳ装置の一部が機能していなくても、またはＭＥＭＳ装置の一部が閉鎖されていても、本発明の開示の目的に対しては、そのようなＭＥＭＳ装置もやはりＭＥＭＳ装置として考える。
【００１７】
説明において、異なる図面で同一の番号を付された構成要素は同一構成要素を表わす。
【００１８】
本発明の原理により、たとえば回路中の接点や端子のような相対的低インピーダンス回路に接続された１対の電気的接点を完全に開放するように作動する微小機械装置を採用することによって、高信頼度のヒューズを実現できる。この低インピーダンス回路の遮断を、少なくとも１つの接点に結合されている他の回路や装置が検出し、応答する。
【００１９】
電子回路の除去は、対象物の一部である微小機械装置が動いた結果、対象物に力を掛けることによって行われる。本発明の一態様によれば、電気的接続は、微小機械装置が指定のトリガ励起力を受けたとき、回路の一部である少なくとも１つの低インピーダンス・ブリッジが破壊されることによって、取り除かれる。１対の電気的接点に２つ以上の相対的低インピーダンス回路が結合されているときは、たとえば、各相対的低インピーダンス回路の一部である少なくとも１つの低インピーダンス電気ブリッジを破壊することによって、相対的低インピーダンス回路の全てが遮断されなければならない。
【００２０】
図１は、微小機械装置が微小電子機械システム（ＭＥＭＳ）装置であり、ブリッジが、ＭＥＭＳ装置の一部であり、また、電気回路の一部でもある少なくとも１つのばねである本発明の例示的実施形態を示す。少なくとも１つのばねが破壊されると電気回路が遮断される。より詳細には、ａ）質量１０３および任意選択的電極１０７を備えるＭＥＭＳ装置、ｂ）ブリッジ１０５−１および１０５−２、本明細書ではまとめてブリッジ１０５、ｃ）電気接点１０９、ｄ）任意選択的電気接続部１１１−１および１１１−２、本明細書ではまとめて電気接続部１１１、およびｅ）任意選択の検査口１１３が図１に示されている。
【００２１】
質量１０３はブリッジ１０５に結合されている。ＭＥＭＳ装置は、指定された条件の下に質量１０３が動くことによって作動して、ブリッジ１０５の少なくとも１つを破壊するのに十分な力をブリッジに掛ける。本発明の一実施形態では、ブリッジ１０５が質量１０３を支持する。本発明の別の実施形態では、質量１０３は、少なくとも一部はブリッジ１０５とは関係なく支持され得る。
【００２２】
本発明の一態様によれば、ブリッジ１０５は、電気接点１０９に電気的に接続されている相対的低インピーダンス電気回路の一部である。したがって、ブリッジ１０５が無傷である限り、電気接点１０９は、実質的に同じ電位のままである。
【００２３】
任意選択の電極１０７は、質量１０３が動く能力を検査するのに用いられる。検査口１１３の一方と電気接点１１１の一方との間に検査信号を入力することによって、質量１０３を動かすことができる。質量１０３の動きは、他方の検査口１１３と他方の電気接点１１１との間で測定される静電容量の変化によって検出することができる。静電容量が変化しない場合は、質量１０３が動かず、トリガが有効に作用しないことを示す。
【００２４】
図２は、図１に示された実施形態と同様であるが、並列に接続された２つのブリッジがあり、そのそれぞれがＭＥＭＳ装置に結合されている、本発明の別の例示的実施形態を示す。各ブリッジの少なくとも１つのばねを破壊するだけで、電気回路は遮断される。図２は図１と全く同じ要素を示すが、さらにａ）質量２０３および任意選択の電極２０７を含むＭＥＭＳ装置、ｂ）ブリッジ２０５−１および２０５−２、本明細書ではまとめてブリッジ２０５、およびｃ）任意選択的電気接続部２１１−１および２１１−２、本明細書ではまとめて電気接続部２１１、を含む。図２で追加された要素の機能は、同様な名称、および、表示する図面を示す先頭の数字以外は同様の番号を有する図１の対応する要素と同じである。有利には、図２の本発明の実施形態は、図１には無い冗長安全機構を提供する。
【００２５】
図３は、図１に示された実施形態と同様であるが、質量１０３が、少なくとも１つのブリッジ１０５を破壊するように動いた後、所定の位置にラッチ止めされるように構成されている本発明の別の例示的実施形態を示す。図３は図１と全く同じ要素を示すが、さらにａ）固定用タブ３２１、ｂ）固定用受け３２３を含む。固定用タブ３２１は質量１０３に結合され、質量１０３と共に動いて、質量１０３が固定用受け３２３に向かって移動するとき、タブ３２１は固定用受けの中に挿し込まれ、固定用受け３２３の固定腕３２５を押し広げる。少なくともタブ３２１の最も太い部分が固定腕３２５を通り過ぎれば、固定腕３２５は再び閉じることができ、タブ３２１が後戻りできなくなり、それによって質量１０３を所定の位置に固定する。有利には、少なくとも１つのブリッジ１０５を破壊した後は、質量１０３は自在に動き回ることができず、望ましくない損傷を生じる恐れがなくなる。
【００２６】
図４は、図２に示された実施形態と同様であるが、質量１０３および２０３は共に、移動し、ブリッジ１０５および２０５のうちのそれぞれに関連するブリッジの少なくとも１つを破壊した後は、図３に示されるのと同じようにラッチ止めされるように構成されている本発明の別の例示的な実施形態を示す。図４は、図２と全く同様な要素を示すが、さらにａ）固定用タブ３２１、ｂ）固定用受け３２３、ｃ）固定用タブ４２１、およびｄ）固定用受け４２３を含む。図３と関連して記載すると、固定用タブ３２１は質量１０３に結合され、質量１０３が固定用受け３２３に向かって移動するとき、タブ３２１は固定用受けの中に挿し込まれ、固定用受け３２３の固定腕３２５を押し広げるように質量１０３と共に動く。少なくともタブ３２１の最も太い部分が固定腕３２５を通り過ぎれば、固定腕３２５は再び閉じることができ、タブ３２１が後戻りできなくなり、それによって質量１０３を所定の位置に固定する。有利には、少なくとも１つのブリッジ１０５を破壊した後は、質量１０３は自在に動き回ることができず、望ましくない損傷を生じる恐れがなくなる。同様に、固定用タブ４２１は質量２０３に結合され、質量２０３が固定用受け４２３に向かって移動するとき、タブ４２１は固定用受けの中に挿し込まれ、固定用受け４２３の固定腕４２５を押し広げるように質量２０３と共に動く。少なくともタブ４２１の最も太い部分が固定腕４２５を通り過ぎれば、固定腕４２５は再び閉じることができ、タブ４２１が後戻りできなくなり、それによって質量２０３を所定の位置に固定する。有利には、ブリッジ１０５または２０５の少なくとも１つを破壊した後は、質量１０３または質量２０３は自在に動き回ることができず、望ましくない損傷を生じる恐れがなくなる。
【００２７】
図５は、図１に示された実施形態と同様であるが、基板に取り付けられた支柱に質量１０３を結合しているばね５０１があり、それに電極１０７が配置されている本発明の別の例示的実施形態を示す。ばね５０１は、少なくとも１つのブリッジ１０５が破壊された後、質量１０３が自在に動き回って、望ましくない損傷を生じる恐れを防ぐ。
【００２８】
図６は、図５に示された実施形態と同様であるが、図３に示された固定機構をさらに含む本発明の別の例示的実施形態を示す。ばね５０１が、質量１０３が自在に動き回るのを防ぐだけではなく、図３のように、タブ３２１が固定用受け３２３に挿し込まれることによっても、質量１０３は所定の位置に固定される。
【００２９】
図７は、図６に示された実施形態と同様であるが、固定用タブ７２１、および、固定腕７２５を有する固定用受け７２３で形成される別の固定機構をさらに含む本発明の例示的な別の実施形態を示す。やはり図６のように、ばね５０１が、質量１０３が自在に動き回るのを防ぐだけではなく、質量１０３が固定用受け３２３に向かって移動するときタブ３２１が固定用受け３２３に挿し込まれることによっても、質量１０３は所定の位置に固定される。さらに、質量１０３が固定用受け７２３に向かって移動すると、固定腕７２５が固定タブ７２１を把持することによって、質量１０３は固定用受け７２３に固定される。したがって、図７の実施形態は、２方向のどの方向の加速度による作動にも適している。
【００３０】
図８は、質量が図１のようにブリッジに連結されていない本発明の別の例示的な実施形態を示す。その代わりに、質量８０３が相対的低インピーダンス電気接続部８０１に向かって十分に移動することによって、ヘッド８２７を目標点８３７に衝突させて、ａ）脆弱点８３５、またはｂ）目標点８３７のうちの少なくとも１個所でブリッジ８０１を回路から切り離すことによって、両電気接点１０９間の低インピーダンス接続部を破壊する。質量８０３は、ばね５０１と同様なばね８３１を介して支柱８３３に結合されている。ばね８３１は、指定された加速状態の下で、質量８０３が目標点８３７に衝突するように移動することができるようになっており、それによって低インピーダンス回路を遮断する。
図９は、図８に示された本発明の実施形態と同様であるが、両電気口１０９間の相対的低インピーダンス電気接続部を遮断するには、相対的低インピーダンス接続部８０１に向かう加速度、および相対的低インピーダンス接続部８０１から遠ざかる加速度が必要とされる、本発明の別の例示的実施形態を示す。相対的低インピーダンス接続部８０１に向かう加速度に関しては、図９の実施形態は、図８の実施形態と同様に作動する。さらに、相対的低インピーダンス接続部８０１から遠ざかるように質量８０３が移動することによって、ヘッド９２７を目標点９３７に衝突させ、脆弱点９３５または目標点９３７の少なくとも１個所でブリッジ９０１の少なくとも１つを回路から切り離すことによって、両電気接点１０９間の低インピーダンス接続部のさらに別の分枝を破壊する。両電気接点１０９間の低インピーダンス接続部の両分枝が破壊されてはじめて、ヒューズが開状態になる。
【００３１】
図１０は、ヒューズの例示的回路を示す。図示のように、電圧供給部１００１は、第１の接点で相対的に高いインピーダンス抵抗１００３に接続されている。この抵抗はさらに、本発明の原理によって実装され、図１０ではその第２の接点でグランド１００９に接続されたブラック・ボックスで表されているヒューズ１００５に接続されている。出力端子１００７は、抵抗１００３とヒューズ１００５が電気的に接続されている点に接続されている。ヒューズ１００５が無傷であれば、端子１００７での出力電圧はゼロに近い。たとえばその中の２つのブリッジの１つが破壊されて、ヒューズ１００５が開状態に変わると、グランドへの接続が切り離される。その結果、端子１００７の出力電圧が、グランドから供給電圧１００１に急変する。
【００３２】
図１１は、表示器用発行ダイオード（ＬＥＤ）１１１１の状態を制御するための図１０のヒューズの適用例を示す。図１１に示すように、端子１００７は電界効果トランジスタ（ＦＥＴ）１１１５のゲート１１１３に接続されている。ヒューズ１００５が無傷である間は、ＦＥＴ１１１５のゲート１１１３はグランド電圧であり、ＦＥＴ１１１５のドレーン１１１７とソース１１１９の間は導通していない。しかし、ヒューズ１００５の低インピーダンス接続部が遮断されると、ヒューズ１００５が開回路になり、ＦＥＴ１１１５のゲート１１１３が供給電圧１００１に急変し、ＦＥＴ１１１５が閉じ、ソースとドレーン間が導通する。その結果電流がＬＥＤ１１１１を通って流れ、それを点灯させる。
【図面の簡単な説明】
【００３３】
【図１】微小機械装置が微小電子機械システム（ＭＥＭＳ）装置であり、ブリッジが、ＭＥＭＳ装置の部品であると共に電気回路の部品でもある少なくとも１つのばねである、本明細書の例示的実施形態を示す図である。
【図２】図１に示された実施形態と同様であるが、並列に接続された２つのブリッジがあり、そのそれぞれがＭＥＭＳ装置に結合されている、本発明の別の例示的実施形態を示す図である。
【図３】図１に示された実施形態と同様であるが、質量１０３が、移動してブリッジの少なくとも１つを破壊した後、所定の位置にラッチ止めされるように構成されている、本発明の別の例示的実施形態を示す図である。
【図４】図２に示された実施形態と同様であるが、２つの質量が、図３に示したのと同様に、移動してそれぞれに関連するブリッジの少なくとも１つを破壊した後、所定の位置にラッチ止めされるように構成されている、本発明の別の例示的実施形態を示す図である。
【図５】図１に示された実施形態と同様であるが、基板に取り付けられた支柱に質量を結合しているばねがあり、それに電極が配置されている、本発明の別の例示的実施形態を示す図である。
【図６】図５に示された実施形態と同様であるが、図３に示された固定機構をさらに含む本発明の別の例示的実施形態を示す図である。
【図７】図６に示された実施形態と同様であるが、さらに別の固定機構を含む本発明の別の例示的実施形態を示す図である。
【図８】質量がブリッジに連結されていない本発明の別の例示的実施形態を示す図である。
【図９】図８に示された本発明の実施形態と同様であるが、電気端子間の電気接続を遮断するには、互いに逆の２方向の加速度が必要とされる本発明の別の例示的実施形態を示す図である。
【図１０】ヒューズの例示的回路を示す図である。
【図１１】表示器用発光ダイオード（ＬＥＤ）の状態を制御するために図１０のヒューズを応用した図である。
【図１】
2006084470.tif 000003
【図２】
2006084470.tif 000004
【図３】
2006084470.tif 000005
【図４】
2006084470.tif 000006
【図５】
2006084470.tif 000007
【図６】
2006084470.tif 000008
【図７】
2006084470.tif 000009
【図８】
2006084470.tif 000010
【図９】
2006084470.tif 000011
【図１０】
2006084470.tif 000012
【図１１】
2006084470.tif 000013